(57)【要約】【課題】、冷却ファンの長寿命化を実現したうえで、冷却ファンの交換のみならず冷却ファンの保守管理を容易に行うことが可能である発熱体冷却構造を提供する提供する。【解決手段】背面Ｂに対して設置されるサイリスタ０１０１やヒューズ０１０２やスナバ回路０１０３等の発熱体と、制御部０１１５と、電源ケーブル０１０８，０１０９が接続される発熱体下方に位置する一対の端子０１０４Ａ，０１０４Ｂと、発熱体の背面に設けられるヒートシンク０１２０と、ヒートシンク０１２０を収納し上下方向に空気を流通させる空気通路０１０７と、空気通路０１０７の下側に配置されるカセット型ファン０１４０の受入部である係止貫通孔０１３１と、この係止貫通孔０１３１に着脱自在に配置されるカセット型ファン０１４０と、を有する。【選択図】図１Ｆ
2020144492.tif 000002
【特許請求の範囲】
【請求項１】
背面に対して設置され、含まれる発熱体を冷却する発熱体冷却構造であって、
発熱体と、
前面の操作側の面に設けられる前記発熱体に接続された制御部と、
前記発熱体に発熱原因を供給する棒状供給体が接続される発熱体下方に位置する端子と、
前記発熱体の背面に設けられるヒートシンクと、
前記ヒートシンクを収納し上下方向に空気を流通させる空気通路と、
前記空気通路の下側に配置される後記カセット型ファンの受入部と、
前記受入部に着脱自在に配置されるカセット型ファンと、
を有する発熱体冷却構造。
【請求項２】
前記カセット型ファンは、ファン駆動のための電源端子を有し、
前記受入部は、前記カセット型ファンの着脱動作に伴って前記電源端子と電気的に接離する供給端子を有する請求項１に記載の発熱体冷却構造。
【請求項３】
前記カセット型ファンの回転状態を検知する回転状態検知部と、
回転状態検知部での検知状態に応じて警報を発するための条件である警報発令条件を保持する警報発令条件保持部と、
検知した回転状態が保持されている警報発令条件を満たした場合に、警報を発令する警報発令部と、
をさらに有する請求項１又は請求項２に記載の発熱体冷却構造。
【発明の詳細な説明】
【技術分野】
【０００１】
本発明は、背面に対して設置される発熱構造体に含まれる発熱体を冷却するのに用いられる発熱体冷却構造に関する。
【背景技術】
【０００２】
従来、上記したような背面に対して設置される発熱体を含む発熱構造体としては、例えば、電気炉に供給する電力をコントロールする電力調整器がある。
【０００３】
この電力調整器は、サイリスタやヒューズやスナバ回路等の発熱体を収容する縦型筒状の筐体と、この筐体内の発熱体の下方に位置して２本の電源ケーブル（棒状供給体）と接続する一対の端子と、背面及び筐体の間に設けられるヒートシンクと、このヒートシンクを収納して上下方向に空気を流通させる空気通路と、この空気通路の端部に配置される空冷ファンを備えている。なお、スナバ回路とは、発熱体であるサイリスタの誤動作を防止するための保護回路であり、抵抗及びコンデンサを直列に接続して成っている。
【０００４】
この電力調整器は、電気炉の実温度と目標温度とを比較して電気炉への供給電力をコントロールする温度調節計に接続されて、この温度調節計からの制御信号を受けて、この制御信号に応じた電力を電気炉のヒータに供給する。
【０００５】
この電力調整器では、電気炉へ電力を供給する際に筐体内のサイリスタやヒューズやスナバ回路等の発熱体で生じる熱をヒートシンクで吸収し、このヒートシンクで吸収した熱で暖められた空気通路内の空気を空冷ファンによって吸い出すことで、発熱体を冷却するようにしている。
【０００６】
この電力調整器において、電気炉への電力の供給に使用する２本の電源ケーブルにはそれ相応の太さのケーブルが用いられるので、ケーブル接続時におけるケーブルの取り回し易さ等を考慮して、２本の電源ケーブルの両方、又は、少なくともいずれか一方の電源ケーブルは、筐体の下方に配置される。すなわち、２本の電源ケーブルと接続する一対の端子のうちの少なくともいずれか一方の端子は、通常サイリスタ等の発熱体の下方に配置される。そのため、空冷ファンは、交換時等の作業性を考慮して、空気通路の上端部の余剰スペースに配置されることが多い。
【０００７】
しかしながら、このような構成の電力調整器では、空冷ファンが空気通路を上昇する暖められた空気に常時晒されて熱に煽られるので、空冷ファンの軸受に充填されているグリスが蒸発し易くファン寿命が短いという欠点がある。
【０００８】
また、上記した構成の電力調整器において、配線配管等のダクトの下方に設置された場合には、そのダクトの存在により冷却ファンの交換がし辛くなってしまうという欠点がある。
【０００９】
このような欠点に対処するべく工夫が成された発熱構造体としては、例えば、特許文献１に記載された電力変換装置がある。
この電力変換装置は、発熱体を収容した筐体と、この筐体の背面側に取り付けられたヒートシンクと、冷却ファンを備えており、この電力変換装置では、冷却ファンをヒートシンクの下方に配置する冷却構造を採用することで、上記した電力調整器が有する欠点を補っている。
【先行技術文献】
【特許文献】
【００１０】
【特許文献１】特許５３４４１８２号公報
【発明の概要】
【発明が解決しようとする課題】
【００１１】
ところが、ケーブルの取り回し易さ等を考慮して、２本の電源ケーブルと接続する一対の端子のうちの少なくともいずれか一方の端子を筐体の下方に配置する構成の上記した電力調整器に対して、この電力変換装置の冷却構造を採用すると、冷却ファンの長寿命化が図れるものの、冷却ファンが少なくとも１本の電源ケーブルの奥側に位置することになるので、冷却ファンの交換はもとより、冷却ファンの保守管理が困難であるという問題があり、これを解決することが従来の課題となっている。
【００１２】
本発明は、上記した従来の課題を解決するために成されたものであり、冷却ファンの長寿命化を実現したうえで、冷却ファンの交換のみならず冷却ファンの保守管理を容易に行うことが可能である発熱体冷却構造を提供することを目的としている。
【課題を解決するための手段】
【００１３】
上記課題を解決するために、本発明は、以下の発熱体冷却構造を提供する。
すなわち、本発明における第１の発明は、背面に対して設置され、含まれる発熱体を冷却する発熱体冷却構造であって、発熱体と、前面の操作側の面に設けられる前記発熱体に接続された制御部と、前記発熱体に発熱原因を供給する棒状供給体が接続される発熱体下方に位置する端子と、前記発熱体の背面に設けられるヒートシンクと、前記ヒートシンクを収納し上下方向に空気を流通させる空気通路と、前記空気通路の下側に配置される後記カセット型ファンの受入部と、前記受入部に着脱自在に配置されるカセット型ファンと、を有する構成としている。
【００１４】
また、本発明における第２の発明において、前記カセット型ファンは、ファン駆動のための電源端子を有し、前記受入部は、前記カセット型ファンの着脱動作に伴って前記電源端子と電気的に接離する供給端子を有する構成としている。
【００１５】
さらに、本発明における第３の発明は、前記カセット型ファンの回転状態を検知する回転状態検知部と、回転状態検知部での検知状態に応じて警報を発するための条件である警報発令条件を保持する警報発令条件保持部と、検知した回転状態が保持されている警報発令条件を満たした場合に、警報を発令する警報発令部と、をさらに有する構成としている。
【発明の効果】
【００１６】
本発明によれば、冷却ファンの長寿命化を実現することができるのに加えて、冷却ファンの交換のみならず冷却ファンの保守管理を容易に行うことが可能であるという非常に優れた効果が得られる。
【図面の簡単な説明】
【００１７】
【図１Ａ】実施形態１の発熱体冷却構造を説明するための発熱体を含む発熱構造体の正面図
【図１Ｂ】図１ＡにおけるＸ−Ｘ線断面図
【図１Ｃ】図１ＡにおけるＹ−Ｙ線断面図
【図１Ｄ】図１Ａ〜Ｃに示した発熱構造体の回路図
【図１Ｅ】図１Ａ〜Ｃに示したヒートシンクの部分斜視図
【図１Ｆ】図１Ａ〜Ｃに示した発熱構造体の全体斜視図
【図１Ｇ】図１Ａ〜Ｃ，Ｆに示した発熱構造体である電力調整器を含む電気炉制御システムの構成説明図
【図１Ｈ】図１Ａ〜Ｃ，Ｆに示した発熱構造体のカセット型ファンの受入部とこの受入部に着脱自在に配置されるカセット型ファンとの関係を説明するための部分斜視図
【図１Ｉ】図１Ａ〜Ｃ，Ｆの発熱構造体に対するカセット型ファンの着脱状況を示す発熱構造体の全体斜視図
【図２Ａ】実施形態２の発熱体冷却構造を説明するための発熱体を含む発熱構造体の全体斜視図
【図２Ｂ】図２Ａに示した発熱構造体のカセット型ファンの受入部とこの受入部に着脱自在に配置されるカセット型ファンとの関係を説明するための部分拡大図
【図３】実施形態３における発熱体冷却構造を有する発熱構造体の制御ユニットを説明するための模式図
【発明を実施するための形態】
【００１８】
以下、本発明の実施の形態について、添付図面を用いて説明する。なお、本発明は、これら実施形態に何ら限定されるべきものではなく、その要旨を逸脱しない範囲において、種々なる態様で実施し得る。
＜実施形態１＞
＜概要＞
【００１９】
本実施形態の発熱体冷却構造は、背面に対して設置される発熱構造体に含まれる発熱体の冷却構造であって、ヒートシンクを収納して上下方向に空気を流通させる空気通路を発熱体の背面に設け、発熱体に発熱原因を供給する棒状供給体が接続される発熱体下方の端子の背面側で且つ空気通路の下部にファンの受入部を設けて、カセット型ファンを着脱自在に配置したことを特徴とする。
このように、発熱体の背面において、ヒートシンクを収納する空気通路の下部にファンの受入部を設けてカセット型ファンを着脱自在に配置したので、冷却ファンの長寿命化を実現しつつ、冷却ファンの交換のみならず冷却ファンの保守管理をも容易に行うことができるという効果を奏する。
＜構成＞
【００２０】
本実施形態に係る発熱体冷却構造を採用する電力調整器は、電気炉に供給する電力をコントロールするのに用いられるものである。
【００２１】
すなわち、図１Ａ〜図１Ｄに示すように、本実施形態に係る発熱体冷却構造を採用するこの電力調整器０１００は、背面Ｂに対して配置される縦型筒状の筐体０１１０と、この筐体０１１０内に収容されるサイリスタ０１０１やヒューズ０１０２やスナバ回路０１０３等の発熱体と、筐体０１１０の操作側である前面（図１Ａ正面、図１Ｂ右側面）０１１１に配置された制御部０１１５と、背面Ｂ及び筐体０１１０の間に配置される縦型筒状のヒートシンク０１２０と、筐体０１１０内のサイリスタ０１０１の下方においてヒューズ０１０２或いは変流器０１０５を介して接続する一対の端子０１０４Ａ，０１０４Ｂを備えており、サイリスタ０１０１やヒューズ０１０２といった発熱体は制御部０１１５に接続され、スナバ回路０１０３はサイリスタ０１０１に接続されている。
上記発熱体であるサイリスタ０１０１の誤動作を防止するための保護回路であるスナバ回路０１０３は、抵抗及びコンデンサを直列に接続して成っており、この場合、スナバ回路０１０３の抵抗が発熱体である。
【００２２】
ヒートシンク０１２０は、図１Ｅに部分的に示すように、伝熱特性の良い金属、例えば、６０００系のアルミ合金の押し出し型材から成っており、筐体０１１０と同じ幅寸法を有している。このヒートシンク０１２０は、筒内側に向けて蛇腹状に突出する多数の放熱フィン０１２１を上下方向に沿わせた状態で筐体０１１０に一体化されており、このように互いに一体化した筐体０１１０及びヒートシンク０１２０は、背面Ｂに対してベースプレート０１１２を介して取り付けられるようになっている。
【００２３】
この際、ヒートシンク０１２０は、筐体０１１０の下部における背面Ｂ側に装着される筐体付属の側面カバー０１３０，０１３０及びこれらの側面カバー０１３０，０１３０の前面側を覆う前面カバー０１０６上に、多数の放熱溝１２２を有する側面１２３を露出させた状態で位置するように構成されている。また、筐体０１１０内に収容される発熱体であるサイリスタ０１０１は、ヒートシンク０１２０に直に取り付けられている。
【００２４】
つまり、この実施形態において、放熱フィン０１２１を上下方向に沿わせたヒートシンク０１２０と、ベースプレート０１１２と、筐体付属の側面カバー０１３０，０１３０と、前面カバー０１０６とによって、背面Ｂ及び筐体０１１０の間において上下方向に空気を流通させる空気通路０１０７を形成している。
加えて、この実施形態において、空気通路０１０７を構成する前面カバー０１０６の上端部を筐体０１１０側に反らせて、ヒートシンク０１２０の下端との間に隙間Ｗを設けるようにしている。これにより、図１Ｃに矢印で示すように、後に詳述するカセット型ファン０１４０によって空気通路０１０７内に送り込んだ下方からの冷却空気の一部を隙間Ｗから筐体０１１０内に導入して、サイリスタ０１０１やヒューズ０１０２やスナバ回路０１０３等の発熱体（特に、ヒートシンク０１２０に直に取り付けられていないヒューズ０１０２やヒートシンク０１２０に樹脂スペーサ０１０３Ａを介して取り付けられているスナバ回路０１０３）を冷却するようにしている。
【００２５】
また、この実施形態において、筐体０１１０内のサイリスタ０１０１やヒューズ０１０２やスナバ回路０１０３等の発熱体の下方に位置する一対の端子０１０４Ａ，０１０４Ｂには、図１Ｆに示すように、２本の電源ケーブル（棒状供給体）０１０８，０１０９の各一端が接続されており、一方の電源ケーブル０１０８の他端は、図１Ｇに示すように、電気炉０１８０におけるヒータ０１８１に接続され、他方の電源ケーブル０１０９の他端は、電源Ｄに接続されるようになっている。
【００２６】
この電力調整器０１００は、温度センサ０１８２により計測される電気炉０１８０の実温度と目標温度とを比較して電気炉０１８０への供給電力をコントロールする温度調節計０１９０に接続されており、この温度調節計０１９０からの制御信号Ｓを筐体０１１０の前面０１１１に配置した制御部０１１５で受けて、サイリスタ０１０１によって制御信号Ｓに応じた電力を電気炉０１８０のヒータ０１８１に供給するようになっている。
【００２７】
さらに、この電力調整器０１００は、空気通路０１０７の下端部、すなわち、ベースプレート０１１２と、筐体付属の側面カバー０１３０，０１３０と、前面カバー０１０６とによって囲まれる領域に配置されるカセット型ファン０１４０を備えている。
【００２８】
このカセット型ファン０１４０は、空気通路０１０７に対して空気を送り込む冷却ファンであって、ファン本体０１５０及び枠体０１６０を具備しており、ファン本体０１５０は枠体０１６０内に嵌め込んだ状態でねじ止めされている。ファン本体０１５０のファン駆動モータには、寿命が長く且つ回転数を検出し易いＤＣモータが採用されており、一方、枠体０１６０は熱可塑性樹脂、例えば、ポリカーボネートで形成されている。この枠体０１６０は略正方形状に形成されており、ベースプレート０１１２と、筐体付属の側面カバー０１３０，０１３０と、前面カバー０１０６とによって囲まれる嵌合領域Ａ（図１Ｅにのみ示す）に嵌り込む大きさに形成されている。
【００２９】
この場合、図１Ｈにも示すように、空気通路０１０７の下端部を構成する互いに対向する側面カバー０１３０，０１３０（図１Ｈでは一方の側面カバー０１３０のみ示す）には、カセット型ファン０１４０を着脱自在に取り付けるための係止貫通孔（受入部）０１３１がそれぞれ設けられており、この実施形態において、受入部としての係止貫通孔０１３１は、側面カバー０１３０の下端縁部において適宜間隔をもって２か所に形成されている。
【００３０】
一方、カセット型ファン０１４０における枠体０１６０の互いに対向する一対の周壁０１６１，０１６１（図１Ｈでは一方の周壁０１６１のみ示す）には、下側に位置する先端部を枠内側に押し込み可能な弾性変形片０１６２が設けられており、この弾性変形片０１６２は、空気通路０１０７側の受入部としての係止貫通孔０１３１，０１３１に合わせて周壁０１６１の２か所に形成されている。
【００３１】
そして、枠体０１６０の弾性変形片０１６２，０１６２における各上側に位置する根元部には、上記嵌合領域Ａに枠体０１６０（カセット型ファン０１４０）を嵌め込んだ状態（図１Ｈの仮想線で示す状態）において、側面カバー０１３０の係止貫通孔０１３１に係止する係止突起０１６３，０１６３がそれぞれ形成されている。
【００３２】
加えて、この枠体０１６０の弾性変形片０１６２，０１６２における各先端部には、該先端部を弾性力に抗して押し込み易くするための操作溝０１６４，０１６４がそれぞれ形成されている。これらの操作溝０１６４，０１６４は、上記嵌合領域Ａに枠体０１６０（カセット型ファン０１４０）を嵌め込んだ状態において、側面カバー０１３０の係止貫通孔０１３１の下方に形成された凹部０１３２，０１３２からそれぞれ露出するようになっている。
【００３３】
また、枠体０１６０の弾性変形片０１６２が配置されている一対の周壁０１６１，０１６１の各両端にはガイド斜面０１６５，０１６５がそれぞれ形成されており、嵌合領域Ａに対して枠体０１６０（カセット型ファン０１４０）を円滑に挿入することができるようにしている。
【００３４】
さらに、枠体０１６０の弾性変形片０１６２が配置されていない一対の周壁０１６６，０１６６の各両端にもガイド斜面０１６７，０１６７がそれぞれ形成されており、上記ガイド斜面０１６５，０１６５と同様に、嵌合領域Ａに対する枠体０１６０（カセット型ファン０１４０）の挿入を円滑に行うことができるようにしている。
【００３５】
さらにまた、この実施形態において、筐体０１１０にファン用のＤＣ電源ユニット０１７０（図１Ｆにのみ示す）が内蔵されており、カセット型ファン０１４０を空気通路０１０７の下端部に取り付ける際には、モータ側リード線０１５１と電源ユニット側リード線０１７１とを接続するようになっている。
【００３６】
つまり、この電力調整器０１００では、電気炉０１８０のヒータ０１８１への供給電力をコントロールする際に筐体０１１０内においてヒートシンク０１２０に直に取り付けたサイリスタ０１０１で生じる熱をヒートシンク０１２０で吸収する。そして、このヒートシンク０１２０を収納する空気通路０１０７内にカセット型ファン０１４０によって下方から冷却空気を送り込み、ヒートシンク０１２０で吸収した熱で暖められた空気通路０１０７内の空気を上方に追い出すことで、サイリスタ０１０１を冷却するようにしている。この際、ヒートシンク０１２０に直に取り付けられていないヒューズ０１０２及びスナバ回路０１０３は、カセット型ファン０１４０によって空気通路０１０７内に送り込んだ冷却空気の一部を隙間Ｗから筐体０１１０内に導入することで、サイリスタ０１０１とともに冷却するようにしている。
【００３７】
このような構成を成す電力調整器０１００において、ヒートシンク０１２０を収容する空気通路０１０７の下端部にカセット型ファン０１４０を配置しているので、カセット型ファン０１４０が空気通路０１０７を上昇する高温の空気に晒されずに、例えば、５５℃程度の雰囲気で運用されることとなり、したがって、カセット型ファン０１４０の長寿命化を実現し得る。
【００３８】
また、この実施形態において、例えば、カセット型ファン０１４０を交換したり点検したりする場合には、筐体０１１０の下方に位置する電源ケーブル０１０８，０１０９越しにカセット型ファン０１４０に向けて片手を差し入れて、枠体０１６０の弾性変形片０１６２，０１６２における各先端部を弾性力に抗して枠内側に順次押し込んで、係止突起０１６３，０１６３を係止貫通孔０１３１，０１３１からそれぞれ離間させる（図１Ｉに示す状態）。
【００３９】
この際、弾性変形片０１６２，０１６２における各先端部には、操作溝０１６４，０１６４がそれぞれ形成されているうえ、これらの操作溝０１６４，０１６４が、側面カバー０１３０の係止貫通孔０１３１の下方に位置する凹部０１３２，０１３２から露出している。
【００４０】
そのため、手探りでも枠体０１６０の弾性変形片０１６２，０１６２の各先端部に指を掛け易く、しかも、操作溝０１６４，０１６４により、弾性変形片０１６２，０１６２の各先端部に指がフィットするので、弾性変形片０１６２，０１６２における各先端部の弾性力に抗した押し込み動作が簡単なものとなる。
【００４１】
そして、この状態でカセット型ファン０１４０を下方向に移動させると共に、モータ側リード線０１５１と電源ユニット側リード線０１７１とを離間させると、交換が必要な或いは点検が必要なカセット型ファン０１４０の空気通路０１０７の下端部からの取り外しが成されることとなる。
【００４２】
一方、取り外したカセット型ファン０１４０に代えて交換用のカセット型ファン０１４０を取り付けたり、点検後のカセット型ファン０１４０を再び取り付けたりする場合には、係止貫通孔０１３１がある側面カバー０１３０，０１３０に、カセット型ファン０１４０における枠体０１６０の弾性変形片０１６２が形成されている一対の周壁０１６１，０１６１を合わせると共に、モータ側リード線０１５１と電源ユニット側リード線０１７１とを接続する。
【００４３】
次いで、カセット型ファン０１４０における枠体０１６０の弾性変形片０１６２，０１６２を枠内側に弾性変形させつつカセット型ファン０１４０を空気通路０１０７の下端部における嵌合領域Ａに図示矢印方向（図１Ｆ白抜き矢印方向）に押し込んで、図１Ｈに仮想線で示すように、係止突起０１６３，０１６３を係止貫通孔０１３１，０１３１にそれぞれ係止させると、カセット型ファン０１４０の空気通路０１０７の下端部への取り付けが成されることとなる。
【００４４】
この空気通路０１０７の下端部へのカセット型ファン０１４０の取り付けに際して、枠体０１６０の弾性変形片０１６２が配置されている一対の周壁０１６１，０１６１にはガイド斜面０１６５，０１６５がそれぞれ形成されており、同じく、枠体０１６０の弾性変形片０１６２が配置されていない一対の周壁０１６６，０１６６にもガイド斜面０１６７，０１６７がそれぞれ形成されているので、嵌合領域Ａに対する枠体０１６０（カセット型ファン０１４０）の挿入を円滑に行うことができる。
＜効果＞
【００４５】
本実施形態によれば、従来技術に対して、カセット型ファン０１４０の長寿命化を実現し得る。
また、カセット型ファン０１４０の交換や保守管理の際の取り外し及び取り付けが、図１Ｉに示すように、筐体０１１０の下方に位置する電源ケーブル０１０８，０１０９越しの作業になるものの、空気通路０１０７の下端部に対してカセット型ファン０１４０を着脱自在としているので、カセット型ファン０１４０の交換のみならずカセット型ファン０１４０の保守管理を容易に行うことができる。
加えて、空気通路０１０７の下端部にカセット型ファン０１４０を着脱自在に配置しているので、電力調整器０１００の上方における配線配管等のダクトの有無にかかわらず、カセット型ファン０１４０の交換及び保守管理を容易に行うことが可能である。
＜実施形態２＞
＜概要＞
【００４６】
本実施形態は実施形態１を基本とし、カセット型ファンには、ファン駆動のための電源端子が配置され、一方、空気通路の下端部の受入部には、カセット型ファンに電源を供給する供給端子が配置され、空気通路の受入部へのカセット型ファンの着脱動作によって、カセット型ファンの電源端子と空気通路の受入部の供給端子とが互いに電気的に接離することを特徴としている。
このように、カセット型ファンを空気通路の受入部に取り付けるのと同時に、カセット型ファンと空気通路の受入部とが互いに電気的に接続し、カセット型ファンを空気通路の受入部から取り外すのと同時に、カセット型ファンと空気通路の受入部とが互いに電気的に離間するので、空気通路の受入部に対するカセット型ファンの取り付け取り外し作業がより一層簡単になるという効果を奏する。
＜構成＞
【００４７】
本実施形態において、先の実施形態と相違するところは、図２Ａに示すように、電力調整器（発熱構造体）０２００における空気通路０２０７の下端部の嵌合領域Ａに配置されるカセット型ファン０２４０に、ファン駆動のためのファン側コネクタ（電源端子）０２６８を配置すると共に、空気通路０２０７の嵌合領域Ａに、筐体０２１０に内蔵されたファン用のＤＣ電源ユニット０２７０と接続するカバー側コネクタ（供給端子）０２３８を配置している点にあり、他の構成は先の実施形態と同じである。
【００４８】
すなわち、図２Ｂにも示すように、本実施形態では、カセット型ファン０２４０における枠体０２６０の弾性変形片０２６２を有する周壁０２６１，０２６１のうちの一方の周壁０２６１中央に、ファン側コネクタ０２６８を設け、空気通路０２０７の嵌合領域Ａを構成する筐体付属の側面カバー０２３０，０２３０のうちの一方の側面カバー０２３０中央内側に、カバー側コネクタ０２３８を設けている。
【００４９】
そして、本実施形態では、電力調整器０２００における空気通路０２０７の下端部の嵌合領域Ａにカセット型ファン０２４０を嵌め込んで取り付けるのに伴って、カセット型ファン０２４０側のファン側コネクタ０２６８と空気通路０２０７側のカバー側コネクタ０２３８とが互いに嵌合して電気的に接続するようになっている。
【００５０】
また、電力調整器０２００における空気通路０２０７の下端部の嵌合領域Ａからカセット型ファン０２４０を取り外すのに伴って、嵌合状態にある双方のコネクタ０２３８，０２６８が互いに離れて、電気的接続が遮断されるようになっている。
【００５１】
本実施形態において、例えば、カセット型ファン０２４０を交換したり点検したりする場合には、枠体０２６０の弾性変形片０２６２，０２６２における各先端部を弾性力に抗して枠内側に押し込んで、係止突起０２６３，０２６３を係止貫通孔０２３１，０２３１からそれぞれ離間させる。
【００５２】
そして、この状態でカセット型ファン０２４０を下方向に移動させて空気通路０２０７の下端部の嵌合領域Ａから取り外すと、これに伴って、嵌合状態にあるカセット型ファン０２４０側のファン側コネクタ０２６８が、空気通路０２０７側のカバー側コネクタ０２３８から離れるので、双方のコネクタ０２３８，０２６８が互いに電気的に遮断されることとなる。つまり、実施形態１で必要であった、モータ側リード線０１５１と電源ユニット側リード線０１７１とを離間させる作業を省くことができる。
【００５３】
一方、取り外したカセット型ファン０２４０に代えて交換用のカセット型ファン０２４０を取り付けたり、点検後のカセット型ファン０２４０を再び取り付けたりする場合には、カバー側コネクタ０２３８がある側面カバー０２３０に、カセット型ファン０２４０のファン側コネクタ０２６８が配置されている周壁０２６１を合わせる。
【００５４】
次いで、カセット型ファン０２４０における枠体０２６０の弾性変形片０２６２，０２６２を枠内側に弾性変形させつつカセット型ファン０２４０を空気通路０２０７の下端部における嵌合領域Ａに図示矢印方向（図２Ａ白抜き矢印方向）に押し込み、係止突起０２６３，０２６３を係止貫通孔０２３１，０２３１にそれぞれ係止させて、カセット型ファン０２４０を空気通路０２０７の下端部へ取り付ける。
【００５５】
このカセット型ファン０２４０の空気通路０２０７の下端部への取り付けが成されるのに伴って、カセット型ファン０２４０側のファン側コネクタ０２６８が空気通路０２０７側のカバー側コネクタ０２３８に嵌合するので、双方のコネクタ０２３８，０２６８が互いに電気的に接続することとなる。つまり、実施形態１で必要であった、モータ側リード線０１５１と電源ユニット側リード線０１７１との結線作業を省くことができる。
＜効果＞
【００５６】
本実施形態では、空気通路０２０７の下端部へのカセット型ファン０２４０の取り付け及び取り外しに際して、実施形態１で必要であった、モータ側リード線０１５１と電源ユニット側リード線０１７１とを接続する作業及び離間させる作業を省くことができるので、空気通路０２０７の下端部に対するカセット型ファン０２４０の取り付け取り外し作業をより一層簡単に行うことができる。
＜実施形態３＞
＜概要＞
【００５７】
本実施形態は実施形態１を基本とし、カセット型ファンの回転状態を検知する回転状態検知部と、この回転状態検知部での検知状態に応じて警報を発するための警報発令条件を保持する警報発令条件保持部と、この警報発令条件保持部で保持されている警報発令条件を回転状態検知部で検知した回転状態が満たした場合に、警報を発令する警報発令部と、  をさらに有することを特徴としている。
このように、回転状態検知部によってカセット型ファンの回転状態を常に検知し、その検知状態が警報発令条件保持部で保持されている警報発令条件を満たした場合に、警報発令部から警報を発令するので、例えば、カセット型ファンの回転数が、所定の回転数以下になった段階で警報を発令するように成せば、カセット型ファンの交換時期やメンテナンス時期を知らせることができるいう効果を奏する。
＜構成＞
【００５８】
本実施形態において、先の実施形態１，２と相違するところは、図３に示すように、電力調整器（発熱構造体）０３００における空気通路０３０７の下端部へ配置したカセット型ファン０３４０に、回転数信号出力部（回転状態検知部）０３４１を配置した点、及び、制御部０３１５が、警報発令条件保持部０３１６と警報発令部０３１７を有している点で相違しており、他の構成は先の実施形態と同じである。
【００５９】
ここで、回転数信号出力部０３４１が配置されたカセット型ファン０３４０には、リード線０３７１を介してファン用のＤＣ電源ユニット０３７０が接続されており、回転数信号出力部０３４１は、カセット型ファン０３４０の回転数（回転数検知状態）に応じたパルス信号を取得してリード線０３４２を介してファン用のＤＣ電源ユニット０３７０に送る。
一方、ファン用のＤＣ電源ユニット０３７０に接続する制御部０３１５の警報発令条件保持部０３１６は、回転数信号出力部０３４１で取得したパルス信号に応じて警報を発するための警報発令条件を保持し、警報発令部０３１７は、警報発令条件保持部０３１６で保持されている警報発令条件を回転数信号出力部０３４１で取得したパルス信号が満たした場合に警報を発令する。
【００６０】
本実施形態において、警報発令条件保持部０３１６が保持する警報を発するための警報発令条件は、カセット型ファン０３４０を交換したり点検したりする目安、例えば、カセット型ファン０３４０のファン回転数が正常回転数の６０〜７０％に落ちることであり、警報発令部０３１７では、回転数信号出力部０３４１で取得して出力されたファン回転数のパルス信号が正常回転数の６０〜７０％に落ちた場合に、交換時期或いは点検時期を報知するべく警報を発令する。この警報としては、サイレンや制御部０３１５のモニタ０３１８に映し出す警報映像等の手段があるが、これらの手段に限定されない。
【００６１】
本実施形態において、例えば、交換や点検の目安であるカセット型ファン０３４０のファン回転数が正常回転数の６０〜７０％に落ちたことを回転数信号出力部０３４１が検知すると、この回転数のパルス信号が制御部０３１５の警報発令条件保持部０３１６に出力される。
【００６２】
次いで、制御部０３１５の警報発令条件保持部０３１６が回転数信号出力部０３４１からの回転数のパルス信号を受けるのに続いて、制御部０３１５の警報発令部０３１７において、警報発令条件保持部０３１６が有する警報を発するための警報発令条件を回転数信号出力部０３４１からの回転数信号が満たすか否かを判定する。
【００６３】
そして、制御部０３１５の警報発令部０３１７において、回転数信号出力部０３４１からの回転数のパルス信号が警報発令条件を満たすと判定した場合には、サイレンや制御部０３１５のモニタ０３１８に映し出す警報映像等の警報を発令して、交換時期或いは点検時期を報知する。
【００６４】
本実施形態では、制御部０３１５の警報発令部０３１７によって警報が発令された段階で、カセット型ファン０３４０の交換時期或いは点検時期を知ることができるので、カセット型ファン０３４０が突然停止してしまうといった事態の発生が回避されることとなる。
【００６５】
また、本実施形態においても、カセット型ファン０３４０が空気通路０３０７を上昇する高温の空気に晒されずに、例えば、５５℃程度の雰囲気で運用されるので、回転状態検知部としての回転数信号出力部０３４１が、例えば、ＩＣチップであったとしても、熱による誤作動を防ぐことができる。
＜効果＞
【００６６】
本実施形態により、カセット型ファン０３４０の突然停止、ひいては、電力調整器０３００自体の突然の運転停止を回避することができる。
【符号の説明】
【００６７】
０１００，０２００，０３００  電力調整器（発熱構造体）
０１０１            サイリスタ（発熱体）
０１０２            ヒューズ（発熱体）
０１０３            スナバ回路（発熱体）
０１０４Ａ，０１０４Ｂ  一対の端子
０１０７，０２０７，０３０７  空気通路
０１０８，０１０９  電源ケーブル（棒状供給体）
０１１０，０２１０  筐体
０１１５，０３１５  制御部
０１２０            ヒートシンク
０１３１            係止貫通孔（受入部）
０１４０，０２４０，０３４０  カセット型ファン
０１６３            係止突起
０２３８            カバー側コネクタ（供給端子）
０２６８            ファン側コネクタ（電源端子）
０３１６            警報発令条件保持部
０３１７            警報発令部
０３４１            回転数信号出力部（回転状態検知部）
Ｂ                  背面
【図１Ａ】
2020144492.tif 000003
【図１Ｂ】
2020144492.tif 000004
【図１Ｃ】
2020144492.tif 000005
【図１Ｄ】
2020144492.tif 000006
【図１Ｅ】
2020144492.tif 000007
【図１Ｆ】
2020144492.tif 000008
【図１Ｇ】
2020144492.tif 000009
【図１Ｈ】
2020144492.tif 000010
【図１Ｉ】
2020144492.tif 000011
【図２Ａ】
2020144492.tif 000012
【図２Ｂ】
2020144492.tif 000013
【図３】
2020144492.tif 000014